(57)【特許請求の範囲】
【請求項１】
昇降駆動される車両のウィンドガラスに給電する給電構造であって、
先端を前記ウィンドガラスの昇降方向と交差する方向に移動可能に該ウィンドガラスの下縁部に連結しており、基端を回動駆動されて揺動し、それにより該ウィンドガラスを昇降駆動する主アームと、
前記ウィンドガラスを安定して昇降するために基端を回動自在に前記主アームの長手方向の略中央に支持された補助アームと、を備え、
前記主アームは、その長手方向に直交する断面において幅方向の略中央部が凸となり、その両側の縁部が凹となる凹凸形状に成形されており、
前記主アームの凹部表面に添って電線を配索し、該主アームの先端より延出させた該電線の一端を前記ウィンドガラスに接続して該ウィンドガラスに給電することを特徴とする給電構造。
【発明の詳細な説明】
【技術分野】
【０００１】
本発明は、車両のウィンドガラスなどの昇降駆動される移動体に給電する給電構造に関する。
【背景技術】
【０００２】
自動車等の車両のウィンドガラスにおいて、例えば結露防止のための電熱線が敷設されたウィンドガラスには適時給電がなされる。そして、昇降駆動されるウィンドガラスに電熱線が敷設された場合などに、このウィンドガラスへ給電するための給電構造として、従来、図７に示すものが知られている。
【０００３】
図７に示す給電構造では、ドア１０１の内部空間に配設されて昇降駆動されるウィンドガラス１０２に設けられた移動体側コネクタ１０５とドア１０１に設けられたドア側コネクタ１０６とを給電線で繋ぎ、ウィンドガラス１０２に給電している。ウィンドガラス１０２の昇降に伴い給電線に弛みが生じるが、弛みが多い場合に、これが何らの規制なく移動できるとウィンドガラス１０２の昇降機構へ噛み込まれるなどして支障をきたす虞がある。そこで、給電線に生じる弛みはドア１０１の内部空間に配設した余長吸収装置１０３で吸収するようにしている。
【０００４】
余長吸収装置１０３は、給電線をＵ字状に湾曲させてウィンドガラス１０２の昇降方向に沿って折り返し、ケース１１１内に収容している。給電線の一方の端部側（図中符号１０４で示される）は、ウィンドガラス１０２の昇降方向に移動可能にケース１１１に係合した摺動部材１１２に保持されてケース１１１の外に導出され、移動体側コネクタ１０５に接続している。ケース１１１内の給電線の変形を伴って摺動部材１１２が上下動し、給電線１０４はウィンドガラス１０２の昇降に追従する。摺動部材１１２の上下動に伴いケース１１１内の給電線には弛みが生じるが、その移動はケース１１１内に規制され、ウィンドガラス１０２の昇降機構への噛み込みが防止される（特許文献１参照）。
【特許文献１】特開２００５−５７８２８号公報
【発明の開示】
【発明が解決しようとする課題】
【０００５】
特許文献１に開示された給電構造では、ウィンドガラス１０２の昇降に対応するうえで給電線をＵ字状に湾曲させてウィンドガラス１０２の昇降方向に沿って折り返し、ケース１１１内に収容している。この場合、少なくともウィンドガラス１０２のストロークの半分以上の余長が給電線に必要となり、ウィンドガラス１０２の昇降に伴い給電線に生じる弛みも比較的多い。そのため、給電線を収容するケース１１１が必要であり、また、ケース１１１は比較的大型のものとなる。ウィンドガラス１０２およびその昇降機構が収容されるドア１０１の内部空間にさらにケース１１１の収容スペースを確保することは困難である。
【０００６】
本発明は、上述した事情に鑑みてなされたものであり、その目的は、昇降駆動される移動体に給電する給電構造において、小型化・簡素化を図った給電構造を提供することを目的とする。
【課題を解決するための手段】
【０００７】
本発明の上記目的は、下記構成の給電構造により達成される。
（１）昇降駆動される車両のウィンドガラスに給電する給電構造であって、先端を前記ウィンドガラスの昇降方向と交差する方向に移動可能に該ウィンドガラスの下縁部に連結しており、基端を回動駆動されて揺動し、それにより該ウィンドガラスを昇降駆動する主アームと、前記ウィンドガラスを安定して昇降するために基端を回動自在に前記主アームの長手方向の略中央に支持された補助アームと、を備え、前記主アームは、その長手方向に直交する断面において幅方向の略中央部が凸となり、その両側の縁部が凹となる凹凸形状に成形されており、前記主アームの凹部表面に添って電線を配索し、該主アームの先端より延出させた該電線の一端を前記ウィンドガラスに接続して該ウィンドガラスに給電することを特徴とする給電構造。
【発明の効果】
【０００８】
本発明に係る給電構造は、移動体を昇降駆動するアームに添って電線を配索しており、移動体の昇降に追従する電線の大部分をアームにより規制することができる。よって、電線を収容するケース等の該電線の移動を規制するための部材を別途必要とせず、給電構造の小型化・簡素化を図ることができる。
【発明を実施するための最良の形態】
【０００９】
以下、本発明に係る給電構造の好適な実施の形態例を図面に基づいて詳細に説明する。
【００１０】
図１は本発明に係る給電構造を適用した自動車のドアの断面図、図２は図１のドアのウィンドガラスの昇降機構を示す正面図、図３は図２の昇降機構の詳細な正面図であって、本発明の給電構造の一実施形態を示す正面図、図４は図３の昇降機構の平面図、図５は図３のＶ−Ｖ線断面図、図６はウィンドガラスの昇降に伴う図３の給電構造の動作を示す正面図である。
【００１１】
図１および図２に示すように、本実施形態の給電構造は、自動車のドアに設けられており、このドアに配設されて昇降駆動されるウィンドガラスに給電するものである。以下に、ウィンドガラスの昇降機構を説明する。
【００１２】
ドアパネル１は、所用形状にプレス成形されたアウタパネル３とインナパネル４とを接合して、内部に所用の空間を形成したものである。
【００１３】
ウィンドガラス２は、アウタパネル３とインナパネル４との間に介装され、後述する昇降機構により略上下方向に昇降駆動され、それによりドアパネル１の上縁にあるアウタパネル３とインナパネル４との隙間を通してドアパネル１の外部に出現し、また、ドアパネル１の内部空間に没入する。
【００１４】
ウィンドガラス２とアウタパネル３との間には、互いに前後方向に所定の間隔を隔て、それぞれ略上下方向に伸びる１対のガラスガイド５、５が配設されている。ウィンドガラス２は、その下端縁に取り付けられたシューをガラスガイド５、５に係合させ、略上下方向に移動を案内される。
【００１５】
そして、ドアパネル１の内部空間には、ウィンドガラス２を昇降駆動するウィンドレギュレータ（昇降機構）６が配設されている。
【００１６】
さらに図３および図４を参照して、ウィンドレギュレータ６は、いわゆるＸ字アーム式のウィンドレギュレータであって、ドアパネル１に固定されるベースプレート１１と、このベースプレート１１に支持された主アーム１２と、この主アーム１２に支持された一対の補助アーム１５、１６と、を備えている。
【００１７】
主アーム１２は、その基端に設けられた回動軸１３を介してベースプレート１１に支持されている。主アーム１２の先端は、ウィンドガラス２の下縁部に固定されて略前後方向に伸びるレール１４にシューを介して連結しており、主アーム１２の先端は、レール１４に沿って、ウィンドガラス２の昇降方向と直交する略前後方向に移動可能である。
【００１８】
一方の補助アーム１５は主アーム１２の表面側に、他方の補助アーム１６は主アーム１２の裏面側にあって、互いに一直線に伸びて主アーム１２と略Ｘ字状に交差するように配置されている。そして、一対の補助アーム１５、１６は、互いに同軸上で且つ一体に回動するように、それぞれの基端を回動自在に主アーム１２の長手方向の略中央に支持されている。
【００１９】
補助アーム１５の先端は、主アーム１２の先端と同様に、ウィンドガラス２の下縁部に固定されて略前後方向に伸びるレール１４にシューを介して連結しており、レール１４に沿って略前後方向に移動可能である。補助アーム１６の先端は、ドアパネル１に固定されてレール１４と平行に略前後方向に伸びるレール１７にシューを介して連結しており、レール１７に沿って略前後方向に移動可能である。
【００２０】
ベースプレート１１には駆動機構１８が設けられている。この駆動機構１８は、モータや手動ハンドルなどの不図示の駆動源と、この駆動源の動作により回転するピニオンギヤ１８ａと、を含んでいる。そして、主アーム１２の基端には、セクタギヤ１９が一体に回動するように固着されており、このセクタギヤ１９は、駆動機構１８のピニオンギヤ１８ａと噛合している。
【００２１】
以上の構成において、駆動機構１８の駆動源が動作すると、駆動機構１８のピニオンギヤ１８ａとセクタギヤ１９との噛合により主アーム１２は、その基端を回動駆動されて揺動する。主アーム１２の揺動に伴い、主アーム１２の先端がレール１４に沿って前後に移動するとともにレール１４を上下に移動させる。それにより、ウィンドガラス２が昇降する。
【００２２】
一対の補助アーム１５、１６は、上下動するレール１４とドアパネル１に固定されたレール１７との間に挟まれ、レール１４の上下動に伴いそれぞれの先端をレール１４、１７に沿って前後に移動させながら一体に回動し、レール１４の姿勢を維持する。それにより、ウィンドガラス２は安定して昇降する。
【００２３】
昇降駆動されるウィンドガラス２に給電するための電線２１は、車体からドアパネル１の内部空間に導入され、主アーム１２に添って配索され、ウィンドガラス２に接続している。詳細には、電線２１は、所定箇所をベースプレート１１に固定され、主アーム１２の回動軸１３の周辺を通り、補助アーム１６の回動軸を回避しつつ主アーム１２の裏面に添って主アーム１２の先端まで達し、主アーム１２の先端から延出してウィンドガラス２に接続している。
【００２４】
電線２１は、主アーム１２に添う全域もしくは複数箇所で主アーム１２の裏面に固定されている。固定手段は特に限定されないが、例えば、図５（Ａ）に示すように、主アーム１２の裏面に両面粘着テープ２２ａを貼り付け、もしくは接着剤を塗布し、そこに電線２１を接着してもよい。または、図５（Ｂ）に示すように、電線２１を主アーム１２の裏面に配置し、主アーム１２の裏面との間に挟むようにして片面粘着テープ２２ｂで留めてもよい。尚、ウィンドガラス２との接続において、電線２１は、ウィンドガラス２に直接固定されてもよいし、もしくはレール１４などのウィンドガラス２に付属する部材に固定されてもよい。
【００２５】
ここで、主アーム１２は、その長手方向に垂直な断面において凹凸形状に成形されて、厚み方向への折り曲げに対する強度の向上が図られている。主アーム１２の裏面においては、主アーム１２の幅方向の略中央部が凸となり、その両側の縁部が凹となっている。電線２１は、主アーム１２の裏面の凹部表面１２ａに固定されている。
【００２６】
次に、図６（Ａ）〜（Ｃ）を参照して、本実施形態の給電構造の動作を説明する。図６（Ａ）は、ウィンドガラス２が閉じている際のウィンドレギュレータ６の状態を示し、図６（Ｂ）はウィンドガラス２が半開している際のウィンドレギュレータ６の状態を示し、図６（Ｃ）はウィンドガラス２が全開している際のウィンドレギュレータ６の状態を示している。
【００２７】
図６（Ａ）に示すウィンドレギュレータ６の状態から、主アーム１２が、その基端を回動駆動されて矢印Ａ方向に揺動する。主アーム１２の矢印Ａ方向の揺動に伴い、同図（Ｂ）および（Ｃ）に順次示すように、主アーム１２の先端がレール１４に沿って矢印Ｂ、Ｃ方向に往復移動するとともにレール１４を降下させる。それにより、ウィンドガラス２が降下して開かれる。
【００２８】
一対の補助アーム１５、１６は、降下するレール１４とドアパネル１に固定されたレール１７との間に挟まれ、レール１４の降下に伴い、それぞれの先端をレール１４、１７に沿って前後に移動させながら一体に回動する。その過程で、補助アーム１６が主アーム１２の裏面上を通過するが、電線２１は、主アーム１２の裏面の凹部表面１２ａに添着しており、補助アーム１６との干渉が回避される。そこで、主アーム１２と補助アーム１６との間の隙間を詰めることができ、給電構造の一層の小型化を図ることができる。
【００２９】
以上、説明したように、本実施形態の給電構造によれば、ウィンドガラス２を昇降駆動する主アーム１２に添って電線２１を配索しており、ウィンドガラス２の昇降に追従する電線２１の大部分を主アーム１２により規制することができる。よって、電線を収容するケース等の該電線の移動を規制するための部材を別途必要とせず、給電構造の小型化・簡素化を図ることができる。
【００３０】
また、本実施形態の給電構造によれば、主アーム１２を、その長手方向に直交する断面において凹凸形状に成形し、電線２１を、主アーム１２の凹部表面１２ａに添着させている。これにより、補助アーム１６などのウィンドレギュレータ６の構成要素に電線２１が干渉することを回避することができ、これらの構成要素と主アーム１２との間の隙間を詰めて、給電構造の一層の小型化を図ることができる。
【００３１】
尚、本発明は、上述した実施形態に限定されるものではなく、適宜、変形、改良、等が可能である。その他、上述した実施形態における各構成要素の形状、寸法、数値、形態、数、配置箇所、等は本発明を達成できるものであれば任意であり、限定されない。
【００３２】
例えば、上述した実施形態では主アーム１２と一対の補助アーム１５、１６とを備えるＸ字アーム式のウィンドレギュレータ６での適用例を説明したが、主アーム１２のみのシングルアーム式のウィンドレギュレータについても同様に適用することができる。
【図面の簡単な説明】
【００３３】
【図１】本発明に係る給電構造を適用した自動車のドアの断面図である。
【図２】図１のドアのウィンドガラスの昇降機構を示す正面図である。
【図３】図２の昇降機構の詳細な正面図であって、本発明の給電構造の一実施形態を示す正面図である。
【図４】図３の昇降機構の平面図である。
【図５】図３のＶ−Ｖ線断面図である。
【図６】ウィンドガラスの昇降に伴う図３の給電構造の動作を示す正面図である。
【図７】従来の給電構造を示す自動車のドアの断面図である。
【符号の説明】
【００３４】
１  ドアパネル
２  ウィンドガラス（移動体）
６  ウィンドレギュレータ
１１  ベースプレート
１２  主アーム（アーム）
１３  主アームの回動軸
１４  レール
１５  補助アーム
１６  補助アーム
１７  レール
１８  駆動機構
【図１】
0005127035.tif 000002
【図２】
0005127035.tif 000003
【図３】
0005127035.tif 000004
【図４】
0005127035.tif 000005
【図５】
0005127035.tif 000006
【図６】
0005127035.tif 000007
【図７】
0005127035.tif 000008